(57)【要約】【課題】周囲への球の散乱防止の容易化を図る。【解決手段】パチンコ機Ａと球貸機１０とが互いに隣り合って遊技機設置構造体１に設置された状態において、遊技者がパチンコ機１０の左右両側における球貸機１０の抑制体１５を手で球貸機１０から引き出すことによって、抑制体１５が仮想線で示すように球貸機１０の左右両側から棚２の上面に接触して棚２の上に突出し、棚２の上にこぼれた球が棚２の上を転がっても、抑制体１５が隣の方への球の流れを防止し、球が隣の遊技者まで転がることがなく、遊技者が棚２の上に突出した抑制体１５を手で球貸機１０の方に移動することによって、抑制体１５が実線で示すように棚２から球貸機１０の左右両側に収納され、抑制体１５を使用しない場合、抑制体１５を球貸機１０の左右両側に収納すれば、抑制体１５が邪魔にならない。【選択図】図１
2005177366.tif 000002
【特許請求の範囲】
【請求項１】
遊技機設置構造体に遊技機と隣り合わせに設置される球貸機の前面下部には、遊技機設置構造体の棚を伝わって隣の方への球の流れを防止する抑制体が、球貸機への収納姿勢と遊技機設置構造体の棚への突出姿勢とに引き出し可能に設けられたことを特徴とする球貸装置。
【請求項２】
抑制体の下部が球貸機の側面に回転可能に取り付けられたことを特徴とする請求項１記載の球貸装置。
【請求項３】
抑制体が球貸機の前面に配置される摘みを備えたことを特徴とする請求項１記載の球貸装置。
【発明の詳細な説明】
【技術分野】
【０００１】
本発明は、周囲への球の散乱防止容易な球貸機に関する。
【背景技術】
【０００２】
ドル箱と呼ばれる球箱は、パチンコ機の遊技媒体としての球をパチンコ機の皿構造体から抜いて入れる容器である。この球箱は、球がこぼれないように、上方に開口した収容部が、底部から上方に行くに従って徐々に外側に広くなっている。しかしながら、遊技者が遊技店島と呼ばれる遊技機設置構造体に設置されたパチンコ機で遊技に興じている最中において、遊技機設置構造体の棚にドル箱と呼ばれる球箱を置き、パチンコ機の皿構造体から球を球箱に入れ、球箱が満杯になるに伴い、球が棚にこぼれ、棚にこぼれた球が棚の上を転がって隣の遊技者の方にいってしまい、当該球を遊技者が取りづらくなるという欠点がある。
【特許文献１】特開平８−１０４３５公報
【発明の開示】
【発明が解決しようとする課題】
【０００３】
発明が解決しようとする問題点は、球が遊技機設置構造体の棚の上を転がって隣の遊技者の方に流れるという点である。
【課題を解決するための手段】
【０００４】
本発明の球貸装置は、遊技機設置構造体に遊技機と隣り合わせに設置される球貸機の前面下部には、遊技機設置構造体の棚を伝わって隣の方への球の流れを防止する抑制体が、球貸機への収納姿勢と遊技機設置構造体の棚への突出姿勢とに引き出し可能に設けられたことを最も主要な特徴とする。抑制体の下部が球貸機の側面に回転可能に取り付けられたり、抑制体が球貸機の前面に配置される摘みを備えたりすることも特徴とする。
【発明の効果】
【０００５】
本発明の球貸装置は、遊技者が抑制体を手前に引き出して遊技機設置構造体の棚の上に突出することによって、棚にこぼれた球が棚の上を転がっても、抑制体が棚を伝わって隣の方への球の流れを防止するので、球が隣の遊技者まで転がることがないという利点がある。抑制体の下部が球貸機の側面に回転可能に取り付けられれば、抑制体を球貸機に前後方向に直線的に引き出す場合に比べ、構造が簡単であるという利点がある。抑制体が球貸機の前面に配置される摘みを備えれば、球貸機に収納された抑制体を引き出す場合、摘みを手で引き出すことによって、抑制体を球貸機から棚の上に突出する操作が容易であるという利点がある。
【発明を実施するための最良の形態】
【０００６】
図１−図４は、一実施形態である。図１は、遊技機設置構造体１の棚２の上に設置されたパチンコ機Ａと球貸機１０との外観を示す。図２は、球貸機１０と抑制体１５とを分解して前側から示す。図３は、球貸機１０の制御箱１２の周りを左側から示す。図４は、遊技機設置構造体１に設置された球貸機１０の側面を示す。
【０００７】
図１を参照し、遊技機設置構造体１の棚２の上に設置されたパチンコ機Ａと球貸機１０の構造について説明する。パチンコ機Ａは、遊技機枠３の前面に、窓４と皿構造体５および発射操作機構６を備え、内部に遊技主体としての図外の遊技盤を交換可能に備える。遊技盤は、前面に、ガイドレールで囲まれた内側の遊技領域に、入賞部品、アウト口、サイドランプ、多数の遊技釘などの遊技部品を備える。窓４は、窓４の裏側から、ガラスまたは合成樹脂からなる光透過性の有る無色な前面パネル７で塞がれる。皿構造体５は、遊技を行うための球を入れる部品であって、遊技機枠３に、左側の図外のヒンジを回転中心として、前側に片開き可能に取り付けられる。皿構造体５は、前面は、球抜操作体５ａを備える。遊技者が球箱８を皿構造体５の真下に位置させて棚２に置いた後に球抜操作体５ａを操作すると、皿構造体５の内部に組み込まれた蓋が皿構造体５の底部における図外の排出口を開き、球が皿構造体５の排出口から球箱８に排出される。発射操作機構６は、皿構造体５に設けられる。そして、球が皿構造体５に入っている状態において、遊技者が発射操作機構６を操作すると、可動枠５の内部における図外の発射機構が皿構造体５から供給された球を１個ずつ遊技盤の遊技領域に向けて発射する。遊技領域に発射された球が入賞部品に入賞すると、賞球としての球が遊技機枠３の裏側から皿構造体５に払い出される。符号９は、賞球としての球を貯めるタンクである。タンク９は遊技機枠３の裏面に設けられる。
【０００８】
球貸機１０は、遊技機設置構造体１の棚２の上に、遊技機としてのパチンコ機Ａと隣り合わせに設置される機械であって、本実施形態では、現金を投入する現金タイプを例示する。球貸機１０は、上部の球払出機構箱１１と下部の制御箱１２とが互いに分離可能かつ前後方向に移動可能で上下に縦列された形態である。球貸機１０が、遊技機設置構造体１に設置された状態において、制御箱１２は前側に引き出し可能になっている。球払出機構箱１１の前面には、硬貨投入口１３および球払出ノズル１４を備える。球貸機１０の前面下部、つまり、制御箱１４の前面には、抑制体１５が、球貸機１０への実線で示す収納姿勢と、遊技機設置構造体１の棚２への仮想線で示す突出姿勢とに、引き出し可能に設けられる。そして、球払出ノズル１４が、右側に隣接するパチンコ機Ａの皿構造体５の真上に向けられた状態において、遊技者が硬貨投入口１１に、１００円または５００円の硬貨を投入すると、制御箱１２に内蔵された図外の制御装置が球払出機構箱１１に内蔵された図外の球払出機構を制御し、球払出機構が貸球としての球を球払出ノズル１４から皿構造体５に払い出す。
【０００９】
図２を参照し、球貸機１０の制御箱１２と抑制体１５の取付構造について説明する。制御箱１２は、横長な四角形であって、左右側壁１６；１７の前部には、左右抑制体収納部１８；１９が、設けられる。図３にも示すように、左抑制体収納部１８は、抑制体１５の左抑制本体３１を収納する部分であって、左側壁１６の外側面から内部に窪む縦長な形状である。左抑制体収納部１８の上部には、ストッパー受部２０が、左抑制体収納部１８の外側面から内部に窪む形状に設けられる。左抑制体収納部１８の下部には、抑制体取付孔たる軸受孔２１が、左抑制体収納部１８の外側面から内部に窪むか、または、左抑制体収納部１８の外側面と左側壁１６の内側面とに貫通する形状に設けられる。
【００１０】
図２に戻り、右抑制体収納部１９は、右抑制本体３２を収納する部分であって、右側壁１７の外側面から内部に窪む縦長な形状である。抑制体１５の右抑制体収納部１９の上部には、ストッパー受部２２が、右抑制体収納部１９の外側面から内部に窪む形状に設けられる。右抑制体収納部１９の下部には、抑制体取付孔たる軸受孔２３が、右抑制体収納部１９の外側面から内部に窪むか、または、右抑制体収納部１９の外側面と右側壁１７の内側面とに貫通する形状に設けられる。制御箱１２の前壁２４には、摘み収納部２５が、左右抑制体収納部１８；１９の上部から連接されて設けられる。摘み収納部２５は、前壁２４の前面から内部に窪む形状である。
【００１１】
抑制体１５は、左抑制体収納部１８に収まる帯板状の左抑制本体３１と、右抑制体収納部１９に収まる帯板状の右抑制本体３２との上部前縁を互いに接続する摘み３３を備える。左右抑制本体３１；３２は、同一形状になっている。左右抑制本体３１；３２の上下寸法は、左右抑制体収納部１８；１９の上下幅よりも短い。左抑制本体３１の上部には、ストッパー３４が、左抑制本体３１の内側面に突出する。左抑制本体３１の下部には、軸３５が、左抑制本体３１の内側面から内側に突出する形状に設けられる。右抑制本体３２の上部には、ストッパー３６が、右抑制本体３２の内側面に突出する。右抑制本体３２の下部には、軸３７が、右抑制本体３２の内側面から内側に突出する形状に設けられる。
【００１２】
そして、抑制体１５は、次のように取り付けられる。抑制体１５の摘み３３が制御箱１２の摘み収納部２５に収納され、抑制体１５の左右抑制本体３１；３２が制御箱１２の左右抑制体収納部１８；１９に収納され、抑制体１５のストッパー３４；３６が制御箱１２のストッパー受部２０；２２に収納され、抑制体１５の軸３５；３７が制御箱１２の軸受孔２１；２３に嵌め込まれることによって、抑制体１５が制御箱１２の左右側壁１６；１７の外側面に回転可能に取り付けられる。上記のように、抑制体１５の摘み３３が摘み収納部２５に収納され、左抑制本体３１が左抑制体収納部１８に収納され、右抑制本体３２が右抑制体収納部１９に収納され、ストッパー３４；３６がストッパー受部２０；２２に収納された形態が、抑制体１５の球貸機１０への収納姿勢である。
【００１３】
図４を参照し、球貸機１０における球払出機構箱１１と制御箱１２との遊技機設置構造体１への取付構造について説明する。球払出機構箱１１は、裏面から後側に突出するフック４１が突出する。制御箱１２は、裏面から後側に突出するフック４２が突出する。遊技機設置構造体１の棚２の後部から上方に突出した支柱４５には、フック４１；４２に手動操作で掛け止めおよび取り外し可能な係合具４３；４４を回転可能に備える。したがって、球払出機構箱１１と制御箱１２とが遊技機設置構造体１の棚２に設置された状態において、係合具４３がフック４１に掛けとめられ、係合具４４がフック４２に掛け止められることによって、球払出機構箱１１と制御箱１２とが棚２に移動不能に取り付けられる。そして、作業者が、係合具４４を上方に回転操作してフック４２から取り外した状態において、制御箱１２を前側に引き出すことによって、制御箱１２が前側に引き出される。
【００１４】
実施形態によれば、抑制体１５が球貸機１０の前面下部に設けられているので、図１に示すように、パチンコ機Ａと球貸機１０とが互いに隣り合って遊技機設置構造体１に設置された状態において、遊技者がパチンコ機Ａの左右両側における球貸機１０の抑制体１５を手で球貸機１０から引き出すことによって、抑制体１５が仮想線で示すように球貸機１０の左右両側から棚２の上面に接触して棚２の上に突出する。よって、棚２の上にこぼれた球が棚２の上を転がっても、抑制体１５が隣の方への球の流れを防止し、球が隣の遊技者まで転がることがないという利点がある。遊技者が棚２の上に突出した抑制体１５を手で球貸機１０の方に移動することによって、抑制体１５が実線で示すように棚２から球貸機１０の左右両側に収納される。よって、抑制体１５を使用しない場合、抑制体１５を球貸機１０の左右両側に収納すれば、抑制体１５が邪魔にならないという利点がある。図４に示す係合具４４をフック４２から取り外して制御箱１２を前側に引き出すことで、制御箱１２が球払出機構箱１１やパチンコ機Ａよりも前側に引き出せる構造であるので、図１に示すように、パチンコ機Ａおよび球貸機１０が遊技機設置構造体１に設置された状態において、作業者が制御箱１２を前側に引き出して抑制体１５を交換することができるという利点がある。
【００１５】
抑制体１５の下部が球貸機１０の左右側壁１６；１７の外側面に回転可能に取り付けられているので、抑制体１５を球貸機１０に前後方向に直線的に引き出すように設けた場合に比べ、構造が簡単であるという利点がある。抑制体１５が球貸機１０の前面に配置される摘み３３を備えたので、球貸機１０に収納された抑制体１５を引き出す場合、摘み３３を手で引き出すことによって、抑制体１５を図１に仮想線で示すように棚２の上に突出する操作が容易であるという利点がある。球貸機１０が摘み３３を収納する摘み収納部２５を球貸機１０の前壁２４の前面から内部に窪む形状に備えたので、抑制体１５を図１に実線で示すように球貸機１０に収納した場合、摘み３３が邪魔にならないという利点がある。左右抑制体収納部１８；１９が球貸機１０の左右側壁１６；１７の外側面から内部に窪む形態であるので、抑制体１５が球貸機１０の左右側壁１６；１７よりも外側に突出しないように設けることができ、抑制体１５が球貸機１０の左右側壁１６；１７よりも外側に突出しなければ、球貸機１０の左右方向の横幅が大きくなることがなく球貸機１０が遊技機設置構造体１に従前と同様に取り付けられるという利点がある。
【産業上の利用可能性】
【００１６】
抑制体１５を球貸機１０に前後方向に直線的に引き出すように設けてもよい。抑制体１５が抑制本体３１；３２のいずれか一方だけを備えた形態でも適用できる。抑制体１５は合成樹脂により形成してもよいが、金属により形成すれば、厚さを薄くしても剛性があるという利点がある。制御箱１２が下部に存在しない球貸機１０であってもよい。この場合、抑制体１５は、球貸機１０の制御箱１２に相当する前面下部に設けられる。球貸機１０は、現金に取って代わるプリペイドカードを使用するカードタイプでもよい。球を遊技媒体体として使用する遊技機であれば、パチンコ機以外の遊技機でも適用できる。
【図面の簡単な説明】
【００１７】
【図１】パチンコ機と球貸機との設置形態を示す斜視図（一実施形態）。
【図２】球貸機と抑制体とを示す分解斜視図（同実施形態）。
【図３】球貸機の制御箱周りを左側から示す斜視図（同実施形態）。
【図４】球貸機の遊技機設置構造体への取付構造を示す側面図（同実施形態）。
【符号の説明】
【００１８】
１  遊技機設置構造体
２  棚
３  遊技機枠
１０  球貸機
１５  抑制体
３３  摘み
Ａ  パチンコ機
【図１】
2005177366.tif 000003
【図２】
2005177366.tif 000004
【図３】
2005177366.tif 000005
【図４】
2005177366.tif 000006